【手続補正書】
【提出日】令和2年9月18日(2020.9.18)
【手続補正１】
【補正対象書類名】特許請求の範囲
【補正対象項目名】全文
【補正方法】変更
【補正の内容】
【特許請求の範囲】
【請求項１】
シリアル相互接続システムに関わる方法であって、当該シリアル相互接続システムは、第１のノード、第２のノード、前記シリアル相互接続システムによって電気的に直列に接続された複数の較正ノード、および複数の前記直列に接続された較正ノードに対応する複数の接続ノードであって、前記シリアル相互接続システムによって電気的に直列に接続された複数の接続ノードを有しており、
前記複数の較正ノードのそれぞれについて、以下の工程：
対応基準信号を前記較正ノード内へ注入すること；および、
前記対応基準信号が前記較正ノード内へ注入されている間に、前記第１および第２のノードに出現する信号の位相の和である前記較正ノードの位相和を決定すること；
を含む測定手順を実行すること；
前記複数の較正ノードに関して決定された前記位相和から、前記複数の較正ノードのそれぞれについて位相補正値を計算すること；および、
前記複数の較正ノードのそれぞれについて、計算された前記位相補正値を対応する前記複数の接続ノードへ適用すること；
を含む方法。
【請求項２】
第１の基準信号を前記第１のノード内へ注入すること；
前記第１の基準信号が前記第１のノード内に注入されている間に、前記第１のノード内へ注入された前記第１の基準信号の位相と前記第２のノードに出現する信号の位相との和である前記第１のノードの位相和を決定すること；
をさらに含み、
前記複数の較正ノードのそれぞれについて位相補正値を計算する工程は、前記第１のノードの前記位相和を採用する、請求項１に記載の方法。
【請求項３】
前記複数の較正ノードのそれぞれについて、前記測定手順は、
前記対応基準信号が前記較正ノード内へ注入されている間に、前記第１および第２のノードに出現する前記信号の振幅の積である前記較正ノードの振幅積を決定することを含み、
当該方法は、
前記複数の較正ノードの決定された前記振幅積から、前記複数の較正ノードのそれぞれについて振幅補正値を計算すること；および、
前記複数の較正ノードのそれぞれについて計算された前記振幅補正値を対応する前記複数の接続ノードへ適用すること；
をさらに含む、請求項１に記載の方法。
【請求項４】
第１の基準信号を前記第１のノード内へ注入すること；
前記第１の基準信号が前記第１のノード内に注入されている間に、注入された前記第１の基準信号と前記第２のノードに出現する信号との位相の和である前記第１のノードの位相和および振幅の積である振幅積を決定すること；
をさらに含み、
前記複数の較正ノードのそれぞれについて位相および振幅補正値を計算する工程はまた、前記第１のノードの前記決定された位相和および前記第１のノードの前記決定された振幅積を採用する、請求項３に記載の方法。
【請求項５】
前記シリアル相互接続システムは、前記第１のノード、前記複数の接続ノード、および前記第２のノードを直列に相互接続する第１のシリアル相互接続を含み、ここで、前記複数の較正ノードは前記複数の接続ノードと同一である、請求項１に記載の方法。
【請求項６】
前記シリアル相互接続システムは、前記第１のノード、前記複数の較正ノード、および前記第２のノードを直列に相互接続する部分を有する第１のシリアル相互接続と、前記複数の接続ノードを直列に相互接続する部分を有する第２のシリアル相互接続とを含み、ここで、前記第１のシリアル相互接続および前記第２のシリアル相互接続は別個である、請求項１に記載の方法。
【請求項７】
前記複数の較正ノードを直列に相互接続する前記第１のシリアル相互接続の前記部分と前記複数の接続ノードを直列に相互接続する前記第２のシリアル相互接続の前記部分とは電気的に整合されている、請求項６に記載の方法。
【請求項８】
前記シリアル相互接続システムは、前記第２のノードと前記複数の較正ノードとを直列に相互接続する部分を有する第１のシリアル相互接続、前記第１のノードと前記複数の較正ノードとを直列に相互接続する部分を有する第２のシリアル相互接続、および前記複数の接続ノードを直列に相互接続する部分を有する第３のシリアル相互接続を含む、請求項１に記載の方法。
【請求項９】
前記複数の較正ノードを直列に相互接続する前記第１のシリアル相互接続の前記部分、前記複数の較正ノードを直列に相互接続する前記第２のシリアル相互接続の前記部分、および前記複数の接続ノードを直列に相互接続する前記第３のシリアル相互接続の前記部分は、電気的に整合されている、請求項８に記載の方法。
【請求項１０】
前記複数の較正ノードの任意の１つの較正ノードの前記測定手順を実行している間、いかなる他の基準信号も、前記複数の較正ノードのうちの他の較正ノードのうちの任意の較正ノードへ印可しない、請求項１に記載の方法。
【請求項１１】
前記複数の接続ノードは前記複数の較正ノードと同一である、請求項１に記載の方法。
【請求項１２】
前記複数の較正ノードの前記対応基準信号は同じ周波数を有する、請求項１に記載の方法。
【請求項１３】
前記シリアル相互接続システムはまた入力ノードを含み、
前記方法はさらに、
第１の基準信号を前記入力ノードおよび前記第１のノード内に注入すること；
前記第１の基準信号が前記入力ノードおよび前記第１のノード内に注入されている間に、前記入力ノードに注入された前記第１の基準信号の位相と前記第２のノードに出現する信号の位相との和である前記入力ノードの位相和を決定すること；
を含み、
前記複数の較正ノードのそれぞれについて位相補正値を計算する工程はまた前記入力ノードの決定された前記位相和を採用する、請求項１に記載の方法。
【請求項１４】
前記シリアル相互接続システムはまた入力ノードを含み、
前記方法はさらに、
第１の基準信号を前記入力ノードおよび前記第１のノード内に注入すること；
前記第１の基準信号が前記入力ノードおよび前記第１のノード内に注入されている間に、前記入力ノードにおける前記注入された第１の基準信号と前記第２のノードに出現する信号との位相の和である前記入力ノードの位相和および振幅の積である振幅積を決定すること；
を含み、
前記複数の較正ノードのそれぞれについて位相および振幅補正値を計算する工程はまた、前記入力ノードの決定された前記位相和と決定された前記振幅積とを採用する、請求項３に記載の方法。
【請求項１５】
前記シリアル相互接続システムは、前記第１のノードと前記複数の較正ノードとを直列に相互接続する部分を有する第１のシリアル相互接続と、前記入力ノードと前記複数の接続ノードとを直列に相互接続する部分を有する第２のシリアル相互接続とを含む、請求項１３に記載の方法。
【請求項１６】
前記第１のノードおよび前記複数の較正ノードを直列に相互接続する前記第１のシリアル相互接続の前記部分と、前記入力ノードおよび前記複数の接続ノードを直列に相互接続する前記第２のシリアル相互接続の前記部分とは電気的に整合される、請求項１５に記載の方法。
【請求項１７】
シリアル相互接続システムに関わる方法であって、当該シリアル相互接続システムは、第１のノード、第２のノード、前記シリアル相互接続システムにより電気的に直列に接続された複数の較正ノード、および前記複数の直列に接続された較正ノードに対応する複数の接続ノードであって前記シリアル相互接続システムにより電気的に直列に接続された複数の接続ノードを有しており、
前記複数の較正ノードのそれぞれについて、以下の工程：
対応基準信号を前記較正ノード内へ注入すること；および、
前記対応基準信号が前記較正ノード内へ注入されている間に、前記第１および第２のノードに出現する信号の振幅の積である前記較正ノードの振幅積を決定すること；
を含む測定手順を実行すること；
前記複数の較正ノードの決定された前記振幅積から前記複数の較正ノードのそれぞれについて振幅補正値を計算すること；
前記複数の較正ノードのそれぞれについて、計算された前記振幅補正値を前記対応する複数の接続ノードへ適用すること；
を含む方法。
【請求項１８】
第１の基準信号を前記第１のノード内へ注入すること；
前記第１の基準信号が前記第１のノード内に注入されている間に、前記第１のノード内へ注入された前記第１の基準信号の振幅と前記第２のノードに出現する信号の振幅との積である前記第１のノードの振幅積を決定すること；
をさらに含み、
前記複数の較正ノードのそれぞれについて振幅補正値を計算する工程はまた、前記第１のノードの決定された前記振幅積を採用する、請求項１７に記載の方法。
【請求項１９】
前記シリアル相互接続システムは、入力ノードをまた含み、
当該方法は、
第１の基準信号を前記入力ノードおよび前記第１のノード内に注入すること；
前記第１の基準信号が前記入力ノードおよび前記第１のノード内に注入されている間に、前記入力ノードに注入された前記第１の基準信号の振幅と前記第２のノードに出現する信号の振幅との積である前記入力ノードの振幅積を決定すること、
をさらに含み、
前記複数の較正ノードのそれぞれについて振幅補正値を計算する工程はまた、前記入力ノードの決定された前記振幅積を採用する、請求項１７に記載の方法。
【請求項２０】
シリアル相互接続システムであって、第１のノード、第２のノード、前記シリアル相互接続システムにより電気的に直列に接続された複数の較正ノード、および前記複数の直列に接続された較正ノードに対応する複数の接続ノードであって、前記シリアル相互接続システムにより電気的に直列に接続された複数の接続ノード、を有するシリアル相互接続システムと；
前記シリアル相互接続システムの前記第１および第２のノードへ電気的に接続され、前記第１および第２のノードにおいて感知された信号の位相の和を決定するための位相検出器と；
それぞれが前記複数の較正ノードのうちの異なる対応較正ノードへ接続された複数の切り替え可能制御型信号源と；
以下の機能：
前記複数の較正ノードのそれぞれについて、以下の工程：
前記較正ノードの前記切り替え可能制御型信号源に対応基準信号を前記較正ノード内へ注入させること；および、
前記対応基準信号が前記較正ノード内へ注入されている間に、前記位相検出器に前記第１および第２のノードに出現する信号の位相の和である前記較正ノードの位相和を決定させること；
を含む測定手順を実行する機能と；
前記複数の較正ノードの決定された前記位相和から、前記複数の較正ノードのそれぞれについて位相補正値を計算する機能と；
前記複数の較正ノードのそれぞれについて計算された前記位相補正値を前記対応する複数の接続ノードへ適用する機能と；
を実行するようにプログラムされたコントローラシステムと；
を含む装置。
【請求項２１】
前記第１のノードへ接続された第１の切り替え可能制御型信号源をさらに含み、
前記コントローラシステムはさらに、
前記第１の切り替え可能制御型信号源に第１の基準信号を前記第１のノード内へ注入させる機能と；
前記第１の基準信号が前記第１のノード内に注入されている間に、前記位相検出器に、前記注入された第１の基準信号の位相と前記第２のノードに出現する信号の位相との和である前記第１のノードの位相和を決定させる機能と；
を実行するようにプログラムされ、
前記複数の較正ノードのそれぞれについて位相補正値を計算する工程はまた、前記第１のノードの決定された前記位相和を採用する、請求項２０に記載の装置。
【請求項２２】
前記シリアル相互接続システムは、前記第１のノード、前記複数の接続ノード、および前記第２のノードを直列に相互接続する第１のシリアル相互接続を含み、
前記複数の較正ノードは前記複数の接続ノードと同一である、請求項２０に記載の装置。
【請求項２３】
前記シリアル相互接続システムは、前記第１のノード、前記複数の較正ノード、および前記第２のノードを直列に相互接続する部分を有する第１のシリアル相互接続と、前記複数の接続ノードを直列に相互接続する部分を有する第２のシリアル相互接続とを含み、
前記第１のシリアル相互接続および前記第２のシリアル相互接続は別個である、請求項２０に記載の装置。
【請求項２４】
前記複数の較正ノードを直列に相互接続する前記第１のシリアル相互接続の前記部分と前記複数の接続ノードを直列に相互接続する前記第２のシリアル相互接続の前記部分とは電気的に整合される、請求項２３に記載の装置。
【請求項２５】
前記シリアル相互接続システムは、前記第２のノードと前記複数の較正ノードとを直列に相互接続する部分を有する第１のシリアル相互接続、前記第２のノードと前記複数の較正ノードとを直列に相互接続する部分を有する第２のシリアル相互接続、および前記複数の接続ノードを直列に相互接続する部分を有する第３のシリアル相互接続を含む、請求項２０に記載の装置。
【請求項２６】
前記複数の較正ノードを直列に相互接続する前記第１のシリアル相互接続の前記部分、前記複数の較正ノードを直列に相互接続する前記第２のシリアル相互接続の前記部分、および前記複数の接続ノードを直列に相互接続する前記第３のシリアル相互接続の前記部分は、電気的に整合されている、請求項２５に記載の装置。
【請求項２７】
前記コントローラシステムはさらに、前記複数の較正ノードの前記切り替え可能制御型信号源に前記対応基準信号を前記複数の較正ノード内に一度に１回だけ注入させるようにプログラムされている、請求項２０に記載の装置。
【請求項２８】
前記複数の較正ノードの前記対応基準信号は、同一の周波数を有する、請求項２０に記載の装置。
【請求項２９】
シリアル相互接続システムであって、第１のノード、第２のノード、前記シリアル相互接続システムにより直列に電気的に接続された複数の較正ノード、および前記複数の直列に接続された較正ノードに対応する複数の接続ノードであって、また前記シリアル相互接続システムにより電気的に直列に接続された複数の接続ノード、を有するシリアル相互接続システムと；
前記シリアル相互接続システムの前記第１および第２のノードへ電気的に接続され、前記第１および第２のノードにおいて感知された信号の位相の和を決定するための位相検出器と；
前記複数の接続ノードのうちのそれぞれの接続ノードを、前記複数の較正ノードのうちの対応する異なる較正ノードへ、切り替え可能に電気的に接続するための複数のスイッチと；
以下の機能：
前記複数の較正ノードのそれぞれについて、以下の工程：
前記較正ノードの前記スイッチに、対応基準信号を前記対応する接続ノードから前記較正ノード内へ注入させること；および、
前記対応基準信号が前記較正ノード内へ注入されている間に、前記位相検出器に、前記第１および第２のノードに出現する信号の位相の和である前記較正ノードの位相和を決定させること；
を含む測定手順を実行する機能；
前記複数の較正ノードの測定された前記位相和から、前記複数の較正ノードのそれぞれについて位相補正値を計算する機能；および、
前記複数の較正ノードのそれぞれについて、計算された前記位相補正値を前記対応する複数の接続ノードへ適用する機能；
を実行するようにプログラムされたコントローラシステムと；
を含む装置。
【請求項３０】
前記シリアル相互接続システムはまた、入力ノードを含み、
当該装置は、前記入力ノードへ電気的に接続された信号源をさらに含む、請求項２９に記載の装置。
【請求項３１】
前記入力ノードを前記第１のノードへ切り替え可能に電気的に接続するための第１のスイッチをさらに含み、
前記コントローラシステムはさらに、以下の機能：
前記第１のスイッチに信号を前記入力ノードから前記第１のノード内に注入させる機能；
前記信号が前記入力ノードから前記第１のノード内に注入されている間に、前記位相検出器に、前記入力ノードから前記第１のノード内に注入された前記信号の位相と、前記第２のノードに出現する信号の位相との和である前記入力ノードの位相和を決定させる機能；
を実行するようにプログラムされており、
前記複数の較正ノードのそれぞれについて位相補正値を計算する工程は、前記入力ノードの決定された前記位相和を採用する、請求項３０に記載の装置。
【請求項３２】
シリアル相互接続システムであって、第１のノード、第２のノード、当該シリアル相互接続システムにより電気的に直列に接続された複数の較正ノード、および前記複数の直列に接続された較正ノードに対応する複数の接続ノードであって、前記シリアル相互接続システムにより電気的に直列に接続された複数の接続ノード、を有するシリアル相互接続システムと；
前記シリアル相互接続システムの前記第１および第２のノードへ電気的に接続され、前記第１および第２のノードにおいて感知された信号の振幅の積を決定するための振幅検出器と；
それぞれが前記複数の較正ノードのうちの異なる対応較正ノードへ接続された複数の切り替え可能制御型信号源と；
以下の機能：
前記複数の較正ノードのそれぞれについて、以下の工程：
前記較正ノードの前記切り替え可能制御型信号源に対応基準信号を前記較正ノード内へ注入させること；および、
前記対応基準信号が前記較正ノード内へ注入されている間に、前記振幅検出器に、前記第１および第２のノードにおいて出現する信号の振幅の積である前記較正ノードの振幅積を決定させること；
を含む測定手順を実行する機能；
前記複数の較正ノードの決定された前記振幅積から、前記複数の較正ノードのそれぞれについて振幅補正値を計算する機能；および、
前記複数の較正ノードのそれぞれについて計算された前記振幅補正値を、前記対応する複数の接続ノードへ適用する機能；
を実行するようにプログラムされたコントローラシステムと；
を含む装置。
【請求項３３】
前記第１のノードへ接続された第１の切り替え可能制御型信号源をさらに含み、
前記コントローラシステムはさらに、以下の機能：
前記第１の切り替え可能制御型信号源に第１の基準信号を前記第１のノード内へ注入させる機能；
前記第１の基準信号が前記第１のノード内に注入されている間に、前記振幅検出器に、前記注入された第１の基準信号の振幅と前記第２のノードに出現する信号の振幅との積である前記第１のノードの振幅積を決定させる機能；
を実行するようにプログラムされており、
前記複数の較正ノードのそれぞれについて振幅補正値を計算する工程はまた、前記第１のノードの決定された前記振幅積を採用する、請求項３２に記載の装置。
【請求項３４】
シリアル相互接続システムであって、第１のノード、第２のノード、前記シリアル相互接続システムにより直列に電気的に接続された複数の較正ノード、および前記複数の直列に接続された較正ノードに対応する複数の接続ノードであって、また前記シリアル相互接続システムにより電気的に直列に接続された複数の接続ノード、を有するシリアル相互接続システムと；
前記シリアル相互接続システムの前記第１および第２のノードへ電気的に接続され、前記第１および第２のノードにおいて感知された信号の振幅の積を決定するための振幅検出
器と；
前記複数の接続ノードの各接続ノードを、前記複数の較正ノードのうちの対応する異なる較正ノードへ切り替え可能に電気的に接続するための複数のスイッチと；
以下の機能：
前記複数の較正ノードのそれぞれについて、以下の工程：
前記較正ノードの前記スイッチに対応基準信号を前記対応する接続ノードから前記較正ノード内へ注入させること；および、
前記対応基準信号が前記較正ノード内へ注入されている間に、前記振幅検出器に前記第１および第２のノードにおいて出現する信号の振幅の積である前記較正ノードの振幅積を決定させること；
を含む測定手順を実行する機能；
前記複数の較正ノードの測定された前記振幅積から、前記複数の較正ノードのそれぞれについて振幅補正値を計算する機能；および、
前記複数の較正ノードのそれぞれについて計算された前記振幅補正値を、前記対応する複数の接続ノードへ適用する機能；
を実行するようにプログラムされたコントローラシステムと；
を含む装置。
【請求項３５】
前記シリアル相互接続システムはまた、入力ノードを含み、
前記装置は前記入力ノードへ電気的に接続された信号源をさらに含む、請求項３４に記載の装置。
【請求項３６】
前記入力ノードを前記第１のノードへ切り替え可能に電気的に接続するための第１のスイッチをさらに含み、
前記コントローラシステムは、以下の機能：
前記第１のスイッチに信号を前記入力ノードから前記第１のノード内に注入させる機能；
前記信号が前記入力ノードから前記第１のノード内に注入されている間に、前記振幅検出器に、前記入力ノードから前記第１のノード内に注入された前記信号の振幅と前記第２のノードに出現する信号の振幅との積である前記入力ノードの振幅積を決定させる機能；
をさらに実行するようにプログラムされており、
前記複数の較正ノードのそれぞれについて振幅補正値を計算する工程はまた、前記入力ノードの決定された前記振幅積を採用する、請求項３５に記載の装置。